【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
現像剤を排出するための開口を有し、かつ現像剤を収納する現像剤の収納部材と、
前記開口を封止するように前記現像剤の収納部材に接合する接合部を有する封止部材と、
前記封止部材の前記接合部が前記現像剤の収納部材から剥離して前記開口を露出するための開封部材と、を有し、
前記接合部は、前記接合部の長手方向の端部に第１接合部と、前記長手方向の中央に第２接合部とを有し、
前記開封部材は、前記接合部を前記収納部材から剥離する際に撓み、かつ、前記接合部が前記現像剤の収納部材から前記長手方向と交差する方向に剥離する際に、前記第１接合部が前記第２接合部よりも先に剥離することを特徴とする現像剤収納ユニット。
【請求項２】
前記開封部材の中央の撓み量と前記開封部材の端部の撓み量では、前記開封部材の中央の撓み量の方が大きいことを特徴とする請求項１記載の現像剤収納ユニット。
【請求項３】
前記開封部材は、前記封止部材と係合する係合面と、前記係合面と対向する対向面とを有し、かつ前記係合面と前記対向面とを補強する補強部を有することを特徴とする請求項１又は請求項２に記載の現像剤収納ユニット。
【請求項４】
前記補強部は、間隔を設けて複数設けられていることを特徴とする請求項３記載の現像剤収納ユニット。
【請求項５】
前記補強部間の間隔が、端部よりも中央の方が広いことを特徴とする請求項４記載の現像剤収納ユニット。
【請求項６】
前記開封部材の断面がコの字形状、ロの字形状又はＨ字形状のいずれかであることを特徴とする請求項１乃至請求項５のいずれか１項に記載の現像剤収納ユニット。
【請求項７】
前記第１接合部が前記接合部の両端部に位置することを特徴とする請求項１乃至請求項６のいずれか１項に記載の現像剤収納ユニット。
【請求項８】
前記接合部は、前記現像剤の収納部材と線状に接着している部分を有することを特徴とする請求項１乃至請求項７のいずれか１項に記載の現像剤収納ユニット。
【請求項９】
前記線状に接着している部分が、前記接合部の長手方向に線状に伸びていることを特徴とする請求項８記載の現像剤収納ユニット。
【請求項１０】
前記現像剤の収納部材は、可撓性容器であることを特徴とする請求項１乃至請求項９のいずれか１項に記載の現像剤収納ユニット。
【請求項１１】
前記可撓性容器は、複数の枠体で形成される内部空間に収納されていることを特徴とする請求項１０記載の現像剤収納ユニット。
【請求項１２】
前記現像剤の収納部材は、複数の枠体から構成され、少なくとも１つの枠体が前記開口を有することを特徴とする請求項１乃至請求項９のいずれか１項に記載の現像剤収納ユニット。
【請求項１３】
前記開封部材が回転することにより前記封止部材の剥離が行われることを特徴とする請求項１乃至請求項１２のいずれか１項に記載の現像剤収納ユニット。
【請求項１４】
前記開封部材の両端部が支持部により支持されていることを特徴とする請求項１乃至請求項１３のいずれか１項に記載の現像剤収納ユニット。
【請求項１５】
前記接合部が前記現像剤の収納部材から剥離する前記接合部の長手方向と交差する方向は、前記接合部の長手方向と直交する方向であることを特徴とする請求項１乃至請求項１４のいずれか１項に記載の現像剤収納ユニット。
【請求項１６】
現像剤を排出するための開口を有し、かつ現像剤を収納する現像剤の収納部と、
前記開口を封止するように前記現像剤の収納部に接合する接合部を有する封止部材と、
前記封止部材の前記接合部が前記現像剤の収納部から剥離して前記開口を露出するための開封部材と、
前記収納部を有し、かつ前記開封部材を内部に収納する枠体と、を有し、
前記接合部は、前記接合部の長手方向の端部に第１接合部と、前記長手方向の中央に第２接合部とを有し、
前記開封部材は、前記接合部を前記収納部から剥離する際に撓み、かつ、前記接合部が前記現像剤の収納部から前記長手方向と交差する方向に剥離する際に、前記第１接合部が前記第２接合部よりも先に剥離することを特徴とする現像剤収納ユニット。
【請求項１７】
前記接合部が前記現像剤の収納部から剥離する前記接合部の長手方向と交差する方向は、前記接合部の長手方向と直交する方向であることを特徴とする請求項１６記載の現像剤収納ユニット。
【請求項１８】
前記開口は複数形成されていることを特徴とする請求項１乃至請求項１７のいずれか１項に記載の現像剤収納ユニット。
【請求項１９】
前記開封部材は内部に中空を有することを特徴とする請求項１乃至請求項１８のいずれか１項に記載の現像剤収納ユニット。
【請求項２０】
請求項１乃至請求項１９のいずれか１項に記載の現像剤収納ユニットと、
前記現像剤収納ユニットから排出される現像剤を担持する現像剤担持体と、を有する現像装置。
【請求項２１】
現像剤を収納する枠体と、
前記現像剤を担持する現像剤担持体と、
前記現像剤担持体に現像剤を供給するための開口を封止するように接合する接合部を有する封止部材と、
前記封止部材の前記接合部が剥離して前記開口を露出するための開封部材と、を有し、
前記開封部材は、前記枠体の内部に収納され、
前記接合部は、前記接合部の長手方向の端部に第１接合部と、前記長手方向の中央に第２接合部とを有し、
前記開封部材は、前記接合部を前記枠体から剥離する際に撓み、かつ、前記接合部が前記枠体から前記長手方向と交差する方向に剥離する際に、前記第１接合部が前記第２接合部よりも先に剥離することを特徴とする現像装置。
【請求項２２】
前記開封部材の中央の撓み量と前記開封部材の端部の撓み量では、前記開封部材の中央の撓み量の方が大きいことを特徴とする請求項２１記載の現像装置。
【請求項２３】
前記開封部材は、前記封止部材と係合する係合面と、前記係合面と対向する対向面とを有し、かつ前記係合面と前記対向面とを補強する補強部を有することを特徴とする請求項２１又は請求項２２に記載の現像装置。
【請求項２４】
前記補強部は、間隔を設けて複数設けられていることを特徴とする請求項２３記載の現像装置。
【請求項２５】
前記補強部間の間隔が、端部よりも中央の方が広いことを特徴とする請求項２４記載の現像装置。
【請求項２６】
前記開封部材の断面がコの字形状、ロの字形状又はＨ字形状のいずれかであることを特徴とする請求項２１乃至請求項２５のいずれか１項に記載の現像装置。
【請求項２７】
前記第１接合部が前記接合部の両端部に位置することを特徴とする請求項２１乃至請求項２６のいずれか１項に記載の現像装置。
【請求項２８】
前記接合部は、前記枠体と線状に接着している部分を有することを特徴とする請求項２１乃至請求項２７のいずれか１項に記載の現像装置。
【請求項２９】
前記線状に接着している部分が、前記接合部の長手方向に線状に伸びていることを特徴とする請求項２８記載の現像装置。
【請求項３０】
前記開封部材が回転することにより前記封止部材の剥離が行われることを特徴とする請求項２１乃至請求項２９のいずれか１項に記載の現像装置。
【請求項３１】
前記開封部材の両端部が支持部により支持されていることを特徴とする請求項２１乃至請求項３０のいずれか１項に記載の現像装置。
【請求項３２】
前記接合部が前記枠体から剥離する前記接合部の長手方向と交差する方向は、前記接合部の長手方向と直交する方向であることを特徴とする請求項２１記載の現像装置。
【請求項３３】
前記開口は複数形成されていることを特徴とする請求項２０乃至請求項３２のいずれか１項に記載の現像装置。
【請求項３４】
前記開封部材は内部に中空を有することを特徴とする請求項２０乃至請求項３３のいずれか１項に記載の現像装置。
【請求項３５】
請求項１乃至請求項１９のいずれか１項に記載の現像剤収納ユニットと、
前記現像剤収納ユニットから排出される現像剤を用いて形成される現像剤像を担持する像担持体と、を有するプロセスカートリッジ。
【請求項３６】
請求項２０乃至請求項３４のいずれか１項に記載の現像装置と、
前記現像装置から排出される現像剤を用いて形成される現像剤像を担持する像担持体と、を有するプロセスカートリッジ。
【請求項３７】
画像形成装置本体に着脱可能に装着された請求項１乃至請求項１９のいずれか１項に記載の現像剤収納ユニットを有し、
前記現像剤収納ユニットから排出される現像剤を用いて、シートに画像を形成することを特徴とする画像形成装置。
【請求項３８】
画像形成装置本体に着脱可能に装着された請求項２０乃至請求項３４のいずれか１項に記載の現像装置を有し、
前記現像装置から排出される現像剤を用いて、シートに画像を形成することを特徴とする画像形成装置。
【請求項３９】
画像形成装置本体に着脱可能に装着された請求項３５又は請求項３６に記載のプロセスカートリッジを有し、
前記プロセスカートリッジから排出される現像剤を用いて、シートに画像を形成することを特徴とする画像形成装置。